(57)【要約】【課題】一方の筐体部が有するスピーカユニットの振動がヘッドバンドを介して他方の筐体部に伝わるのを抑止する。【解決手段】ヘッドホンは、蓋部１０と、蓋部１０に連結する筐体部２０と、蓋部１０と筐体部２０との間に配置されるスピーカユニット３０とを備えている。蓋部１０は、音響調整部材４０を介してスピーカユニット３０を支持しており、規定の質量と剛性を備える金属部材で構成される音響調整部材４０は、スピーカユニット３０を支持する底面部４１と、底面部４１の周囲に設けられ蓋部１０に連結する連結部４２とを備え、音響調整部材４０と筐体部２０との間には空間Ｔが設けられており、空間Ｔは音響調整部材４０と筐体部２０との間に連続する規定の間隙Ｓを設けている。【選択図】図１
2012244247.tif 000002
【特許請求の範囲】
【請求項１】
蓋部と、該蓋部に連結する筐体部と、当該蓋部と当該筐体部との間に配置されるスピーカユニットとを備え、
前記蓋部は、音響調整部材を介して前記スピーカユニットを支持しており、
規定の質量と剛性を備える金属部材で構成される前記音響調整部材は、前記スピーカユニットを支持する底面部と、該底面部の周囲に設けられ前記蓋部に連結する連結部とを備え、
前記音響調整部材と前記筐体部との間には空間が設けられており、前記空間は前記音響調整部材と前記筐体部との間に連続する規定の間隙を設けることを特徴とするヘッドホン。
【請求項２】
前記蓋部は、前記音響調整部材を介して前記スピーカユニットを支持する板状のスピーカユニット支持部と、該スピーカユニット支持部の周囲に設けられる外周縁部と、当該スピーカユニット支持部と当該外周縁部の間に配置される屈曲部とを備え、
前記外周縁部は、立設部と、前記筐体部に連結する連結部とを備え、
前記外周縁部の内側側面は、前記スピーカユニット支持部に対して第１の傾斜角度で傾斜する面と、第１の傾斜角度とは異なる第２の傾斜角度で傾斜する面を備え、
前記立設部は、前記第２の傾斜角度で傾斜する面で構成されることを特徴とする請求項１に記載のヘッドホン。
【請求項３】
前記第２の傾斜角度で傾斜する面は、前記第１の傾斜角度で傾斜する面に対して、前記外周縁部から前記スピーカユニット支持部に向かって凸状、又は前記スピーカユニット支持部から前記外周縁部に向かって凸状に設けられることを特徴とする請求項２に記載のヘッドホン。
【請求項４】
前記立設部は周方向に複数設けられており、
前記蓋部は、前記音響調整部材を支持する複数の支持部を備え、
前記蓋部の支持部の位置は、周方向における前記立設部の間に設けられていることを特徴とする請求項３に記載のヘッドホン。
【請求項５】
前記スピーカユニット支持部は、放音孔部を備えることを特徴とする請求項４に記載のヘッドホン。
【請求項６】
前記音響調整部材は、前記底面部の周囲に当該音響調整部材の連結部を配置するフランジ部と、前記底面部と当該フランジ部とを連結する架橋部とを備え、
前記架橋部は、前記底面部に支持される前記スピーカユニットの周囲に配置され、前記スピーカユニットの振動板の振動方向に沿って設けられることを特徴とする請求項５に記載のヘッドホン。
【請求項７】
前記音響調整部材の底面部は、凹部を備えることを特徴とする請求項６に記載のヘッドホン。
【請求項８】
前記蓋部と前記スピーカユニットと前記音響調整部材は、実質的に閉じた振動伝播経路を構成することを特徴とする請求項７に記載のヘッドホン。
【請求項９】
前記スピーカユニットは、静止部と、当該静止部にエッジを介して支持される前記振動板と、当該振動板に支持されるボイスコイルと、当該静止部に支持される磁気回路とを備え、
前記静止部は、前記磁気回路を支持する底面部と、前記蓋部と連結する外周筒状部とを備え、
前記蓋部と前記静止部と前記音響調整部材は、前記振動伝播経路を構成することを特徴とする請求項８に記載のヘッドホン。
【請求項１０】
前記筐体部は、環状の底部と当該底部の外周側に設けられる外周枠部とを備え、
前記音響調整部材は、前記筐体部の底部の内側に配置され、
前記筐体部の外周枠部は、環状の外周部と、当該外周部と前記底部とを連結する架橋部とを備え、
前記音響調整部材の架橋部と前記筐体部の架橋部は、周方向にて、互いに異なる位置に配置されていることを特徴とする請求項９に記載のヘッドホン。
【請求項１１】
前記筐体部の外周部は、径方向に延在する複数の補強部を備え、
前記筐体部は、捩れ剛性を備えることを特徴とする請求項１０に記載のヘッドホン。
【請求項１２】
前記筐体部の外周部又は架橋部は、前記蓋部と連結する連結部を備えることを特徴とする請求項１１に記載のヘッドホン。
【請求項１３】
前記蓋部を構成する樹脂材料の内部損失は、前記筐体部又は静止部を構成する樹脂材料の内部損失に対して大きいことを特徴とする請求項１２に記載のヘッドホン。
【請求項１４】
前記蓋部は、アクリルニトリルスチレンアクリレート樹脂で構成されることを特徴とする請求項１３に記載のヘッドホン。
【請求項１５】
一対の前記筐体部と、当該筐体部のそれぞれに取り付けられる腕部と、該腕部を介して一対の前記筐体部に接続するヘッドバンドと、一対の前記腕部の間に架け渡される保持部及び側圧付与部とを備え、
前記保持部及び前記腕部は金属部材で構成されており、
前記腕部は、第１の樹脂部材を介して、前記筐体部に取り付けられていることを特徴とする請求項１４に記載のヘッドホン。
【請求項１６】
前記筐体部と前記蓋部は、第２の樹脂部材を介して連結されていることを特徴とする請求項１５に記載のヘッドホン。
【請求項１７】
請求項１に記載のヘッドホンを備える電子機器。
【発明の詳細な説明】
【技術分野】
【０００１】
本発明は、ヘッドホンに関するものである。
【背景技術】
【０００２】
従来のヘッドホンは、スピーカユニットが取り付けられる筐体部を備えており、この筐体部にヘッドバンドが取り付けられている（例えば、特許文献１参照）。
【先行技術文献】
【特許文献】
【０００３】
【特許文献１】特開２００９−２１８６８６号公報
【発明の概要】
【発明が解決しようとする課題】
【０００４】
ヘッドホンにおけるスピーカユニットの磁気回路は、ボイスコイルの電磁気力の反作用により振動する。このため、スピーカユニットが取り付けられる筐体部に磁気回路が連結していると、磁気回路の振動によって筐体部に不要な振動が伝わる場合がある。この場合、一対の筐体部のうち、一方の筐体部に生じた振動が筐体部に取り付けられるヘッドバンドを介して他方の筐体部に伝わって音響特性を低下させる場合がある。
【０００５】
本発明は、このような問題に対処することを課題の一例とするものである。すなわち、一対の筐体部にヘッドバンドが取り付けられたヘッドホンにおいて、一方の筐体部が有するスピーカユニットから生じる不要な振動がヘッドバンドを介して他方の筐体部に伝わるのを抑止すること、等が本発明の目的である。
【課題を解決するための手段】
【０００６】
このような目的を達成するために、本発明によるヘッドホンは、以下の構成を少なくとも具備するものである。
【０００７】
蓋部と、該蓋部に連結する筐体部と、当該蓋部と当該筐体部との間に配置されるスピーカユニットとを備え、前記蓋部は、音響調整部材を介して前記スピーカユニットを支持しており、規定の質量と剛性を備える金属部材で構成される前記音響調整部材は、前記スピーカユニットを支持する底面部と、該底面部の周囲に設けられ前記蓋部に連結する連結部とを備え、前記音響調整部材と前記筐体部との間には空間が設けられており、前記空間は前記音響調整部材と前記筐体部との間に連続する規定の間隙を設けることを特徴とするヘッドホン。
【図面の簡単な説明】
【０００８】
【図１】本発明の一実施形態に係るヘッドホンの主要部を示した部分断面斜視図である。
【図２】本発明の実施形態に係るヘッドホンの蓋部を示した説明図である。
【図３】本発明の実施形態に係るヘッドホンの音響調整部材を示した説明図である。
【図４】本発明の一実施形態に係るヘッドホンの筐体部を示した説明図である。
【図５】本発明の実施形態における蓋部に対する筐体部と音響調整部材の取付構造を示した説明図である。
【図６】本発明の実施形態における蓋部に対する筐体部と音響調整部材の取付構造を示した説明図である。
【図７】本発明の実施形態に係るヘッドホンの全体構成を示した側面図である。
【図８】本発明の実施形態における接続部を示した側面図である。
【図９】本発明の実施形態に係るヘッドホンの制振構造を示した説明図である。
【図１０】本発明の実施形態に係るヘッドホンの制振構造を示した説明図である。
【図１１】本発明の実施形態に係るヘッドホンの制振構造を示した説明図である。
【発明を実施するための形態】
【０００９】
以下、図面を参照しながら本発明の実施形態を説明する。図１は本発明の一実施形態に係るヘッドホンの主要部を示した部分断面斜視図である。図２は本発明の実施形態に係るヘッドホンの蓋部を示した説明図である。図３は本発明の実施形態に係るヘッドホンの音響調整部材を示した説明図である。図４は本発明の一実施形態に係るヘッドホンの筐体部を示した説明図である。
【００１０】
図１に示すように、本発明の実施形態に係るヘッドホンは、蓋部１０、筐体部２０、スピーカユニット３０を備えている。蓋部１０はスピーカユニット３０に対して音響放射側（図示Ｚ方向側）に配置されており、筐体部２０は蓋部１０に連結されている。また、スピーカユニット３０は蓋部１０と筐体部２０との間に配置されている。
【００１１】
スピーカユニット３０は、静止部３１と、静止部３１にエッジ３３を介して支持される振動板３２と、振動板３２に支持されるボイスコイル３４と、静止部３１に支持される磁気回路３５とを備える。静止部３１は、磁気回路３５を支持する底面部３１Ａと、蓋部１０と連結する外周筒状部３１Ｂとを備える。図示の例では、磁気回路３５は、ヨーク３５Ａと磁石３５Ｂとプレート３５Ｃを備えており、ヨーク３５Ａとプレート３５Ｃとの間に磁気ギャップを備える。ボイスコイル３４は磁気ギャップ内に配置されている。ボイスコイル３４は直接又はボイスコイル支持部３４Ａを介して振動板に支持されている。
【００１２】
スピーカユニット３０は、ボイスコイル３４に音声信号を入力することでボイスコイル３４を振動させ、これによって振動板３２を振動させて音波を音響放射方向（Ｚ方向）に放出する。一方、スピーカユニット３０の駆動時には、ボイスコイル３４の振動の反力を磁気回路３５が受けるので、磁気回路３５が振動することにもなる。
【００１３】
これに対して、本発明の実施形態に係るヘッドホンは、蓋部１０が、音響調整部材４０を介してスピーカユニット３０を支持している。音響調整部材４０の構造の詳細は後述するが、音響調整部材４０は、スピーカユニット３０を支持する底面部４１と、底面部４１の周囲に設けられる蓋部１０に連結する連結部４２とを備えている。音響調整部材４０は規定の質量と剛性を備える金属部材で構成される。金属部材の材料としては、アルミニウム、銅、真鍮、鉄、合金などが挙げられる。図示の例では、スピーカユニット３０の磁気回路３５を支持する静止部３１の底面部３１Ａが音響調整部材４０の底面部４１上に載置されている。
【００１４】
音響調整部材４０と筐体部２０との間には空間Ｔが設けられており、空間Ｔは音響調整部材４０と筐体部２０との間に連続する規定の間隙Ｓを設ける。言い換えれば、音響調整部材４０は、音響調整部材４０と筐体部２０とで構成される空間Ｔによって取り囲まれている。また、音響調整部材４０は、筐体部２０に対して間隙Ｓだけ離れて接触しない状態で、蓋部１０に支持されていても構わない。
【００１５】
このようなヘッドホンの構造によると、スピーカユニット３０が音響調整部材４０を介して蓋部１０に支持されるので、スピーカユニット３０の駆動によって発生する磁気回路３５の振動を、音響調整部材４０と蓋部１０によって減衰させることができる。すなわち、スピーカユニット３０の駆動によって生じる磁気回路３５の振動は、スピーカユニット３０を直接支持する音響調整部材４０が所定の質量と剛性を備えることである程度減衰し、また、音響調整部材４０が連結する蓋部１０が規定の制振特性を有することで、更に減衰することになる。ここでいう制振特性とは、蓋部１０の構成部材が所定の剛性（ヤング率）又は内部損失を備えることで発現される特性である。特に構成部材が剛性を備える場合には、振動を蓋部１０に与えた際に生じる蓋部１０の振幅は時間の経過とともに減衰するが、規定の振幅に減衰する時間が短くなる。また、構成部材が所定の内部損失を備える場合には、振動を蓋部１０に与えた場合に生じる蓋部１０の振幅を比較的小さくすることができ、内部損失が比較的大きければ、振動を与えた際に生じる蓋部１０の振幅も比較的小さくなる。
【００１６】
また、音響調整部材４０と筐体部２０との間に間隙Ｓが連続して設けられるので、蓋部１０とスピーカユニット３０（静止部３１）と音響調整部材４０は、実質的に閉じた振動伝播経路を構成することになり、スピーカユニット３０の駆動によって生じる磁気回路３５の振動が直接筐体部２０に伝わることを抑止することができる。これによって、磁気回路３５の振動によって筐体部２０が振動して、使用者の頭部に振動が伝播することを抑止できる。
【００１７】
図１及び図２によって蓋部１０を詳細に説明する。蓋部１０は、比較的大きい内部損失とヤング率を備える樹脂材料、例えばポリフェニレン・エーテル樹脂（ＰＰＥ樹脂）又はアクリルニトリルスチレンアクリレート樹脂（ＡＳＡ樹脂）で構成することができる。また、静止部３１の樹脂材料に対して比較的大きい内部損失およびヤング率を有する樹脂材料で、蓋部１０を構成することができる。比較的大きい内部損失およびヤング率を備える樹脂材料で蓋部１０を構成することで、蓋部１０が所望の制振特性を有することができる。このため、磁気回路３５の振動が蓋部１０を介して筐体部２０に伝播することを抑止することができる。筐体部２０又は静止部３１を樹脂材料で構成する場合には、蓋部１０を構成する樹脂材料の内部損失は、筐体部２０又は静止部３１を構成する樹脂材料の内部損失に対して大きいことが望ましい。
【００１８】
蓋部１０は、音響調整部材４０を介してスピーカユニット３０を支持する板状のスピーカユニット支持部１１と、スピーカユニット支持部１１の周囲に設けられる外周縁部１２と、スピーカユニット支持部１１と外周縁部１２の間に配置される屈曲部１３とを備えている。スピーカユニット支持部１１は放音孔部１１Ｐを備えており、放音孔部１１Ｐからスピーカユニット３０が発生する音が放出される。スピーカユニット支持部１１の放音孔部１１Ｐが存在しない箇所の背面側（図示Ｚ方向と逆側）に音響調整部材４０を支持する支持部１１Ａが設けられている。スピーカユニット支持部１１の放音孔部１１Ｐは、後述するスピーカユニット３０の振動板３２に対応する開口部１１Ｐ１が中央に設けられ、また、開口部１１Ｐ１の周囲に長孔状の開口部１１Ｐ２が配置されている。図示の例では、開口部１１Ｐ１には仕切り１１Ｐ３が設けられ、開口部１１Ｐ１の周囲には背面側に突出する突起部１１Ｐ４が設けられている。
【００１９】
蓋部１０の外周縁部１２は、筐体部２０に連結する連結部１２Ａを備えている。また、外周縁部１２は、スピーカユニット支持部１１から屈曲した内側側面１２Ｂを有すると共に、内側側面１２Ｂの傾斜角度が部分的に異なる立設部１２Ｃを備える。外周縁部１２の内側側面１２Ｂは、スピーカユニット支持部に対して第１の傾斜角度で傾斜する面１２Ｂ１と、第１の傾斜角度とは異なる第２の傾斜角度で傾斜する面１２Ｂ２を備えており、立設部１２Ｃは第２の傾斜角度で傾斜する面１２Ｂ２で構成されている。
【００２０】
前述した第２の傾斜角度で傾斜する面１２Ｂ２は、第１の傾斜角度で傾斜する面１２Ｂ１に対して、外周縁部１２からスピーカユニット支持部１１に向かって凸状、又はスピーカユニット支持部１１から外周縁部１２に向かって凸状に設けられる。すなわち、立設部１２Ｃは屈曲部１３に対して図示の例では凹状に設けられているが、立設部１２Ｃを屈曲部１３に対して凸状に設けることもできる。この立設部１２Ｃは屈曲部１３の周方向に複数設けられている。そして、蓋部１０は、音響調整部材４０を支持する複数の支持部１１Ａを備えている。蓋部１０が音響調整部材４０を支持する位置（支持部１１Ａの位置）は、周方向における複数の立設部１２Ｃの間に設けられている。図示の例では、立設部１２Ｃの凹状部内に蓋部１０と筐体部２０とを連結する連結部１２Ａが配置されている。
【００２１】
蓋部１０の屈曲部１３は、板状のスピーカユニット支持部１１の一部分と、板状のスピーカユニット支持部１１の一部分から所定の傾斜角度で立ち上がる外周縁部１２の内側側面１２Ｂとが交差することで形成される。この屈曲部１３が設けられることで、スピーカユニット支持部１１と外周縁部１２の周縁部１２Ｄとの間に段部が形成される。屈曲部１３による段部によって蓋部１０は曲げ剛性が高められており、また、外周縁部１２の一部に立設部１２Ｃを設けることで、更に蓋部１０の曲げ剛性を高めることができる。
【００２２】
このような蓋部１０の構造によると、蓋部１０が屈曲部１３或いは立設部１２Ｃを備えることで曲げ剛性が比較的大きくなっており、スピーカユニット３０の駆動によって生じる磁気回路３５の振動により、蓋部１０が振動することを抑止することができる。これによって、蓋部１０に連結される筐体部２０に不要な振動が伝播することを抑止することができる。
【００２３】
また、蓋部１０の立設部１２Ｃが周方向に複数設けられ、蓋部１０と音響調整部材４０とが連結する位置が、周方向における複数の立設部１２Ｃの間にあるので、立設部１２Ｃに蓋部１０と筐体部２０とを連結する連結部１２Ａを設けることで、スピーカユニット３０の駆動によって生じる磁気回路３５の振動が音響調整部材４０を介して蓋部１０に伝播しても、この振動が直接筐体部２０に伝わることを抑止できる。このように、周方向において、蓋部１０と筐体部２０とを連結する立設部１２Ｃの位置と、蓋部１０と音響調整部材４０との連結位置を異ならせることで、スピーカユニット３０の駆動によって生じる磁気回路３５の振動が筐体部２０に伝わるのを抑止することができる。
【００２４】
図１及び図３によって音響調整部材４０の構造を詳細に説明する。音響調整部材４０は、規定の質量と剛性を備えるものであり、この音響調整部材４０がスピーカユニット３０の磁気回路３５を支持する構成にすることで、磁気回路３５に重りを付与したものと同等の機能が得られる。音響調整部材４０が磁気回路３５に対する重りとなることで、ボイスコイル３４の振動に伴って、磁気回路３５に共振が生じることを抑止することができる。特に磁気回路３５および音響調整部材４０の構成部材が互いに異なる場合には、各構成部材の共振周波数が異なるので、磁気回路３５に共振が生じにくくなる。また、音響調整部材４０が剛性を備えることで、ボイスコイル３４の振動に伴って、磁気回路３５に生じる振動の振幅を比較的小さくできる。よって、ボイスコイル３４の振動に伴う反力を受けても磁気回路３５自体が振動し難くなる。
【００２５】
また、音響調整部材４０は、底面部４１の周囲に連結部４２を配置するフランジ部４３と、底面部４１とフランジ部４３とを連結する架橋部４４とを備えている。架橋部４４は底面部４１に支持されるスピーカユニット３０の周囲に配置され、スピーカユニット３０の振動板の振動方向に沿って、スピーカユニット３０の中心軸に対して所定の角度で設けられる。環状に構成された底面部４１は、凹部４１Ａを備える。
【００２６】
このような音響調整部材４０によると、底面部４１とフランジ部４３とを連結する架橋部４４がスピーカユニット３０の振動板の振動方向に沿って設けられるので、音響調整部材４０がスピーカユニット３０の駆動（ボイスコイル３４の振動）によって生じる振動の方向に対して剛性を備える。音響調整部材４０が剛性を備えることで、スピーカユニット３０の駆動によって生じる磁気回路３５の振動が蓋部１０に伝播するのを音響調整部材４０は抑止できる。
【００２７】
また、磁気回路３５のヨーク３５Ａを支持する静止部３１の底面部３１Ａ（スピーカユニット３０の底部）に凸部３１Ｃを設けることで、音響調整部材４０とスピーカユニット３０の底部との接触面積を比較的小さくすることができる。これによっても、スピーカユニット３０の駆動によって生じる磁気回路３５の振動が蓋部１０に伝播するのを音響調整部材４０は抑止できる。また、音響調整部材４０の底面部４１に凹部４１Ａを設けることで、音響調整部材４０とスピーカユニット３０の底部（磁気回路３５のヨーク３５Ａを支持する静止部３１の底面部３１Ａ）との接触面積を比較的小さくしても構わない。
【００２８】
図１及び図４によって筐体部２０を詳細に説明する。筐体部２０は、環状の底部２１とその外周側に設けられる外周枠部２２とを備えている。音響調整部材４０は、筐体部２０の底部２１の内側に配置される。筐体部２０の外周枠部２２は、環状の外周部２２Ａと、外周部２２Ａと底部２１とを連結する架橋部２２Ｂとを備える。
【００２９】
図５に示されるように、音響調整部材４０の架橋部４４と筐体部２０の架橋部２２Ｂは、周方向にて互いに異なる位置に配置されている。具体的には、音響調整部材４０の架橋部４４は、周方向にて、筐体部２０の架橋部２２Ｂの間に配置されている。音響調整部材４０の架橋部４４と筐体部２０の架橋部２２Ｂが、周方向にて異なる位置に配置されることで、後述するヘッドホン本体１Ａの捩れ剛性を向上させることができる。
【００３０】
筐体部２０の外周部２２Ａは、径方向に延在する補強部２２Ａ１を備える。筐体部２０は、外周部２２Ａに補強部２２Ａ１を設けることで捩れ剛性を備える。筐体部２０の外周部２２Ａ又は架橋部２２Ｂは、蓋部１０と連結する連結部２３を備えている。図示の例では架橋部２２Ｂに連結部２３を設けているが、外周部２２Ａに連結部２３を設けても良い。
【００３１】
筐体部２０の外周部２２Ａは筒状の側面２２Ａ２を備えている。筒状の側面２２Ａ２には接続孔２２Ａ３が左右一対設けられ、この接続孔２２Ａ３に後述する腕部が接続される。また、環状の底部２１の開口２１Ａは外周枠部２２に取り付けられる保護部２４によって覆われる。
【００３２】
図５及び図６は、蓋部に対する筐体部と音響調整部材の取付構造を示した説明図である（図５は音響放射側からみた分解斜視図であり、図６は音響放射側とは逆側からみた分解斜視図である）。蓋部１０の連結部１２Ａと筐体部２０の連結部２３との連結は、蓋部１０の音響放射側から連結部１２Ａの孔に挿入される連結部材（ねじ部材）１４を筐体部２０の連結部２３の孔に連結する（ねじ込む）ことで行うことができる。一方、蓋部１０の支持部１１Ａと音響調整部材４０の連結部４２との連結は、音響調整部材４０の音響放射側に対して逆側（背面側）から連結部４２の孔に挿入される連結部材（ねじ部材）を蓋部１０の支持部１１Ａの孔に連結する（ねじ込む）ことによって行うことができる。蓋部１０のスピーカ支持部１１の音響放射方向に対して逆側には、開口部１１Ｐ２を覆うようにフィルタ１５が装着される。筐体部２０の音響放射側と逆側には保護部２４が取り付けられる。
【００３３】
図７は、本発明の実施形態に係るヘッドホンの全体構成を示した側面図である。本発明の実施形態に係るヘッドホン１は、前述したスピーカユニット３０を備える一対のヘッドホン本体１Ａ，１Ａ（筐体部２０，２０）と、ヘッドホン本体１Ａ，１Ａ（筐体部２０，２０）のそれぞれに取り付けられる腕部２，２と、腕部２を介して一対のヘッドホン本体１Ａ，１Ａ（筐体部２０，２０）に直接又は腕部２や接続部３を介して間接的に接続するヘッドバンド４と、一対の腕部２，２の間に架け渡される保持部５及び側圧付与部６とを備える。ヘッドバンド４，保持部５，側圧付与部６の各端部が接続部３に接続されており、腕部２とヘッドバンド４，保持部５，側圧付与部６とは接続部３を介して接続されている。
【００３４】
ヘッドホン本体１Ａは、前述した蓋部１０，筐体部２０，スピーカユニット３０を備えている。スピーカユニット３０には外部から音声信号をスピーカユニット３０に供給するためのケーブル８が接続されている。また、蓋部１０の音響放射側には密接部２５が取り付けられている。
【００３５】
図示の例では、ヘッドホン本体１Ａの筐体部２０，２０のそれぞれに腕部２の両端部が取り付けられている。詳細には、筐体部２０は、腕部２の両端に回転可能に取り付けられており、一対の筐体部２０，２０とヘッドバンド４は腕部２又は接続部３を介して接続されている。
【００３６】
ヘッドバンド４は使用者の頭部に載せ置かれることで、使用者の耳に対するヘッドホン本体１Ａ，１Ａの位置決めを行う機能を有する。ヘッドバンド４の長さを調整することで、ヘッドホン本体１Ａ，１Ａの装着位置を使用者の耳の位置に合わせて調整することができる。一方、保持部５と側圧付与部６は、ヘッドバンド４に沿う形状を備えた湾曲状の弾性部材であり、一対のヘッドホン本体１Ａ，１Ａをユーザーの耳に向かう方向で側圧を付与する部位である。側圧付与部６の端部６Ａは、接続部３に対して着脱可能に取り付けられている。
【００３７】
図８によってヘッドホン１の接続部３を説明する。図示の例では、保持部５には、ヘッドバンド４の端部４Ａがネジ４Ｂ１及び取付パット４Ｂ２、被取付パット４Ｂ３で構成される取付部材４Ｂを介して取り付けられている。取付部材４Ｂは、保持部５に対するヘッドバンド４の位置が変更可能となるように、保持部５に取り付けられている。また、保持部５はその端部が接続部３に取り付けられており、保持部５の一部が接続部３内に配置されている。取付部材４Ｂの位置を保持部５に沿って変更することで、保持部５に対するヘッドバンド４の位置が変更される。保持部５に対するヘッドバンド４の位置の変更に伴って、使用者の耳に対する一対のヘッドホン本体１Ａの位置が変更される。また、同時に使用者の耳への側圧も変化する場合がある。このような側圧の変化は側圧付与部６を任意に選択することで調整できる。
【００３８】
接続部３は、側圧付与部６の端部６Ａが挿入される挿入孔部３Ａを備えている。挿入孔部３Ａに側圧付与部６の端部６Ａを挿入することで、端部６Ａが接続部３に着脱可能に取り付けられる。接続部３には、側圧付与部６の端部６Ａを接続部３に対して取り外すための取り外しボタン３Ｂが設けられている。前述のように、保持部５に対するヘッドバンド４の位置の変更に伴って、使用者の耳に対する一対のヘッドホン本体１Ａの位置が変更される。このとき、使用者の耳へのヘッドホン本体１Ａの側圧が変化しても、使用者に対応する側圧付与部６を接続部３に取り付けることで、側圧を調整することができる。また、使用者に適した側圧付与部６を選択することでヘッドホン本体１Ａと使用者の耳との密着性を良好に高めることができる。側圧付与部６の着脱を簡易に行うことができるので、側圧付与部６の付け替え操作の煩雑さを解消することができる。
【００３９】
図９，図１０及び図１１は、本発明の実施形態に係るヘッドホンの制振構造を示した説明図である。ヘッドホン１は、保持部５と腕部２が金属部材で構成されている。ヘッドホン本体１Ａの筐体部２０は、例えばＡＳＡ樹脂などの樹脂部材で構成される。そして、腕部２は、シリコーンゴムなどの樹脂材料で構成される樹脂部材７（第１の樹脂部材７Ａ）を介して、筐体部２０に取り付けられている。また、スピーカユニット３０の音響放射側に対して逆側に配置される保護部２４は、その外周部が外周枠部２２の外周部２２Ａと内周部２２Ｃとの間に設けられる溝部２２Ｄに挿入されて、筐体部２０に取り付けられている。保護部２４は、複数の孔部を有する金属部材で構成されていても構わない。
【００４０】
腕部２の両端部は、取付部材２Ａを介して筐体部２０に取り付けられている。取付部材２Ａは、腕部２に固定されていても構わない。筐体部２０は取付部材２Ａが配置される接続孔２２Ａ３を備える。取付部材２Ａの周囲を覆うようにシリコーンゴムなどの樹脂材料で構成される第１の樹脂部材７Ａが設けられる。第１の樹脂部材７Ａは取付部材２Ａが挿入される孔を有する。この第１の樹脂部材７Ａの孔に取付部材２Ａが挿入されて第１の樹脂部材７Ａが腕部２と筐体部２０の間に介在されることで、スピーカユニット３０から腕部２に伝播する振動を第１の樹脂部材７Ａによって減衰できる。すなわち、スピーカユニット３０に生じる振動が腕部２に伝わることを抑止できる。
【００４１】
図１１に示されるように、蓋部１０の連結部１２Ａと筐体部２０の連結部２３との連結において、シリコーンゴムなどの樹脂材料で構成される第２の樹脂部材７Ｂは、蓋部１０の連結部１２Ａ内に配置されている。この第２の樹脂部材７Ｂは、一対のフランジ部７Ｂ１、７Ｂ２、一対のフランジ部７Ｂ１、７Ｂ２の間に配置される筒状部７Ｂ３を備える。一対のフランジ部７Ｂ１，７Ｂ２は、蓋部１０の連結部１２Ａの音響放射側および筐体部２０の連結部２３の保護部２４側に配置されている。筒状部７Ｂ３内には、連結部１２Ａと連結部２３の孔に挿入される連結部材（ねじ部材）１４が挿入され、他の連結部材７Ｃ（ビス部材）を用いて、連結部１２Ａと連結部２３とを連結する。このように、連結部１２Ａと連結部２３とが第２の樹脂部材７Ｂを介して連結することで、スピーカユニット３０から蓋部１０を介して筐体部２０へ伝播する振動を減衰できる。すなわち、スピーカユニット３０に生じる振動が筐体部２０に伝わり難くできる。
【００４２】
また、スピーカユニット３０の背面側における、筐体部の底部２１の外周部２１Ｂ、外周枠部２２の内周部２２Ｃには、防塵部材２６が取り付けられている。防塵部材２６は、繊維等で構成される繊維系部材（織物、不織布など）で構成され、複数の孔部を有する。筐体部の底部２１の外周部２１Ｂと外周枠部２２の内周部２２Ｃとの間における開口を防塵部材２６は塞いでいる。この防塵部材２６を設けることで、ごみなどの異物がヘッドホン本体１Ａ又はスピーカユニット３０内に進入することを抑止することができる。
【００４３】
スピーカユニット３０の背面側（音響放射側と逆側）には保護部２４が取り付けられる。スピーカユニット２の背面側（音響放射側に対して逆側）に配置される外周枠部２２に設けられる連結部２３に、保護部２４を取り付ける。これによって、スピーカユニット３０は、保護部２４により保護される。
【００４４】
このような制振構造を備えたヘッドホン１は、スピーカユニット３０の駆動によって生じる振動がヘッドホン本体１Ａや保持部５の金属部材に伝わって異音を発生する不具合を抑制することができる。また、スピーカユニット３０の振動がヘッドホン本体１Ａや保持部５を介して使用者に伝わる不具合を抑制することができる。このようなヘッドホン１を備えた電子機器は、電子機器が発生する音声信号をヘッドホン１が再生し、使用者は再生された音を快適に聞くことができる。電子機器として携帯用オーディオ機器や置型オーディオ機器、パソコン、テレビ等が挙げられる。
【００４５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。上述の各図で示した実施の形態は、その目的及び構成等に特に矛盾や問題がない限り、互いの記載内容を組み合わせることが可能である。また、各図の記載内容はそれぞれ独立した実施形態になり得るものであり、本発明の実施形態は各図を組み合わせた一つの実施形態に限定されるものではない。
【符号の説明】
【００４６】
１：ヘッドホン，１Ａ：ヘッドホン本体，２：腕部，２Ａ：取付部材，
３：接続部，３Ａ：挿入孔部，３Ｂ：取り外しボタン，４：ヘッドバンド，
４Ａ：端部，４Ｂ：取付部材，５：保持部，６：側圧付与部，６Ａ：端部，
７：樹脂部材（７Ａ：第１の樹脂部材，７Ｂ：第２の樹脂部材），８：ケーブル，
１０：蓋部、１１：スピーカユニット支持部，
１１Ａ：支持部，１１Ｐ：放音孔部，
１１Ｐ１，１１Ｐ２：開口部，１１Ｐ３：仕切り，１１Ｐ４：突起部，
１２：外周縁部，１２Ａ：連結部，１２Ｂ：内側側面，１２Ｃ：立設部，
１２Ｄ：周縁部，１３：屈曲部，１４：連結部材（ねじ部材），１５：フィルタ，
２０：筐体部，２１：底部，２１Ａ：開口，２１Ｂ：底部の外周部，
２２：外周枠部，２２Ａ：外周部，２２Ａ１：補強部，２２Ａ２：側面，
２２Ａ３：接続孔，２２Ｂ：架橋部，２２Ｃ：内周部，
２３：連結部，２４：保護部，２５：密接部，
２６：防塵部材，
３０：スピーカユニット，３１：静止部，３１Ａ：底面部，
３１Ｂ：外周筒状部，３２：振動板，３３：エッジ，３４：ボイスコイル，
３４Ａ：ボイスコイル支持部，３５：磁気回路，３５Ａ：ヨーク，
３５Ｂ：磁石，３５Ｃ：プレート，
４０：音響調整部材
４１：底面部，４１Ａ：凹部，４２：連結部，４３：フランジ部，
４４：架橋部，４５：連結部材，Ｓ：間隙，Ｔ：空間
【図１】
2012244247.tif 000003
【図２】
2012244247.tif 000004
【図３】
2012244247.tif 000005
【図４】
2012244247.tif 000006
【図５】
2012244247.tif 000007
【図６】
2012244247.tif 000008
【図７】
2012244247.tif 000009
【図８】
2012244247.tif 000010
【図９】
2012244247.tif 000011
【図１０】
2012244247.tif 000012
【図１１】
2012244247.tif 000013